(57)【要約】【課題】陸屋根又はベランダの立壁だけでなく、小屋裏の換気もできる換気構造及び建物を得る。【解決手段】防水鋼板７１とパラペットフレーム７６との間に空間部１００が設けられ、当該空間部１００と外気とは防水シート７３の小孔部１０２によって連通されている。これにより、構造フレーム５６の連通部５６Ａ内の空気は、パラペットフレーム７６の連通部７６Ａへ案内された後、空間部１００、通気胴縁９６の貫通凹部９８、防水シート７３の小孔部１０２、笠木ホルダ８８内の隙間９４、１０４を経て外気へ案内される。一方、根太６４の上面６４Ａはブラケット６２の他端部６２Ｂよりも突出した状態で固定され、天井大梁４２の上方には隙間６６が設けられる。これにより、空間部１００と小屋裏６７とが連通され、小屋裏６７内の空気を空間部１００へ案内して、上記同様外気へ排気させることができる。つまり、小屋裏６７内の空気も換気することができる。【選択図】図２
2014227774.tif 000002
【特許請求の範囲】
【請求項１】
建物における外壁の一部を構成する第１外装材を支持し、前記建物の高さ方向に沿って延在され、当該建物の基礎部と建物の外壁との間の通気口と連通する第１連通部を形成する構造フレームと、
前記建物における陸屋根又はベランダに立設された立壁の一部を構成する第２外装材を支持し、前記第１連通部と連通する第２連通部を形成する立壁フレームと、
前記陸屋根又は前記ベランダ上における前記立壁フレーム側に配置され、少なくとも一部が前記第２外装材及び当該立壁フレームの上に設けられた笠木内に収容された防水手段と、
前記防水手段と前記立壁フレームとの間に設けられ、当該防水手段と立壁フレームとの間に前記第２連通部と連通する第１空間部を形成する第１連通手段と、
前記第１空間部と小屋裏とを連通させる第２連通手段と、
前記第１空間部と外気とを連通させる第３連通手段と、
を有する換気構造。
【請求項２】
前記第１連通手段は、少なくとも一部が前記笠木内に配置された状態で前記立壁フレームに固定されると共に前記防水手段が取り付けられた通気胴縁である請求項１に記載の換気構造。
【請求項３】
前記第３連通手段は、
前記笠木と前記防水手段との間に設けられ前記外気と連通する第２空間部と、
前記防水手段に形成され、前記第２空間部と前記第１空間部とを連通させる小孔部と、
を含んで構成されている請求項１又は請求項２に記載の換気構造。
【請求項４】
前記第３連通手段は、前記防水手段に設けられ、前記第１空間部と前記外気とを連通させるベントキャップである請求項１又は請求項２に記載の換気構造。
【請求項５】
前記第２連通手段は、
前記陸屋根又は前記ベランダの床部を構成し、前記立壁フレームが固定された大梁と、
少なくとも一部が前記大梁の上面から突出した状態で当該大梁に固定された根太と、
を含んで構成されている請求項１〜請求項４の何れか１項に記載の換気構造。
【請求項６】
陸屋根又はベランダに請求項１〜請求項５の何れか１項に記載の換気構造が設けられている建物。
【発明の詳細な説明】
【技術分野】
【０００１】
本発明は、換気構造及び建物に関する。
【背景技術】
【０００２】
特許文献１に記載の発明では、建物の通気構造において、建物の屋外側に面する外壁内の通気層が、屋上（陸屋根）又は屋上バルコニー（ベランダ）の手摺壁（立壁）内に設けられた通気路と連通している。また、手摺壁の上端面には切り欠き又は貫通穴が設けられており、当該通気路は、切り欠き又は貫通穴から手摺壁上端部とこれを覆う笠木との間に設けられた隙間と連通している。これにより、１階の基礎の通気口から外気を取り込み、通気層及び通気路を経て、２階の笠木の隙間から建物外へ排気できるようになっている。
【先行技術文献】
【特許文献】
【０００３】
【特許文献１】特開２０００−２７３２７号公報
【発明の概要】
【発明が解決しようとする課題】
【０００４】
しかしながら、上記の特許文献１に開示された先行技術では、建物の外壁内の換気はできるものの、小屋裏については別途換気構造を設ける必要がある。
【０００５】
本発明は上記事実を考慮し、陸屋根又はベランダの立壁だけでなく、小屋裏の換気もできる換気構造及び建物を得ることが目的である。
【課題を解決するための手段】
【０００６】
請求項１の発明に係る換気構造は、建物における外壁の一部を構成する第１外装材を支持し、前記建物の高さ方向に沿って延在され、当該建物の基礎部と建物の外壁との間の通気口と連通する第１連通部を形成する構造フレームと、前記建物における陸屋根又はベランダに立設された立壁の一部を構成する第２外装材を支持し、前記第１連通部と連通する第２連通部を形成する立壁フレームと、前記陸屋根又は前記ベランダ上における前記立壁フレーム側に配置され、少なくとも一部が前記第２外装材及び当該立壁フレームの上に設けられた笠木内に収容された防水手段と、前記防水手段と前記立壁フレームとの間に設けられ、当該防水手段と立壁フレームとの間に前記第２連通部と連通する第１空間部を形成する第１連通手段と、前記第１空間部と小屋裏とを連通させる第２連通手段と、前記第１空間部と外気とを連通させる第３連通手段と、を有している。
【０００７】
請求項１の発明に係る換気構造では、建物における外壁の一部を構成する第１外装材は、建物の高さ方向に沿って延在された構造フレームによって支持されている。この構造フレームは、建物の基礎部と建物の外壁との間の通気口と連通する第１連通部を形成している。このため、当該構造フレームの第１連通部を介して、外壁内に外気を取り込むことができる。
【０００８】
また、建物における陸屋根又はベランダに立設された立壁の一部を構成する第２外装材は、立壁フレームによって支持されている。この立壁フレームは、構造フレームの第１連通部と連通する第２連通部を形成している。このため、構造フレームの第１連通部を介して、外壁内へ取り込まれた外気を立壁フレームの第２連通部へ案内することができる。
【０００９】
一方、陸屋根又はベランダ上における立壁フレーム側には、防水手段が設けられている。この防水手段の少なくともその一部が、第２外装材及び立壁フレームの上に設けられた笠木内に収容されている。これにより、雨水の立壁の内部への浸入が抑制又は防止されている。
【００１０】
防水手段と立壁フレームとの間には第１連通手段が設けられており、当該第１連通手段によって、防水手段と立壁フレームとの間に当該立壁フレームの第２連通部と連通する第１空間部が設けられる。これにより、立壁フレームの第２連通部内を流れる空気を第１空間部へ案内することができる。
【００１１】
また、第１空間部と小屋裏とを連通させる第２連通手段が設けられており、これにより、当該第２連通手段によって、小屋裏内の空気を第１空間部へ案内することができる。つまり、小屋裏内を流れる空気を第１空間部へ案内することができる。
【００１２】
ここで、第３連通手段によって、第１空間と外気とが連通されている。これにより、本発明では、立壁内の空気を換気することができると共に、小屋裏内の空気を換気することができる。
【００１３】
請求項２の発明に係る換気構造は、請求項１の発明に係る換気構造において、前記第１連通手段は、少なくとも一部が前記笠木内に配置された状態で前記立壁フレームに固定されると共に前記防水手段が取り付けられた通気胴縁である。
【００１４】
請求項２の発明に係る換気構造では、第１連通手段は通気胴縁である。この通気胴縁は、少なくとも一部が笠木内に配置された状態で立壁フレームに固定され、防水手段が取り付けられている。この通気胴縁によって、防水手段と立壁フレームとの間に第１空間部を形成することができる。
【００１５】
請求項３の発明に係る換気構造は、請求項１又は請求項２の発明に係る換気構造において、前記第３連通手段は、前記笠木と前記防水手段との間に設けられ前記外気と連通する第２空間部と、前記防水手段に形成され、前記第２空間部と前記第１空間部とを連通させる小孔部と、を含んで構成されている。
【００１６】
請求項３の発明に係る換気構造では、第３連通手段は、第２空間部及び小孔部を含んで構成されている。第２空間部は、笠木と防水手段との間に設けられており、外気と連通している。一方、小孔部は、防水手段に形成されており、第２空間部と第１空間部とを連通させている。つまり、防水手段に形成された小孔部を介して、第１空間部内の空気は第２空間部へ案内され、外気へ排気されることになる。
【００１７】
請求項４の発明に係る換気構造は、請求項１又は請求項２の発明に係る換気構造において、前記第３連通手段は、前記防水手段に設けられ、前記第１空間部と前記外気とを連通させるベントキャップである。
【００１８】
請求項４の発明に係る換気構造では、第３連通手段はベントキャップであり、当該ベントキャップは防水手段に設けられ、第１空間部と外気とを連通させている。つまり、ベントキャップを介して、第１空間部内の空気は外気へ排気されることになる。
【００１９】
請求項５の発明に係る換気構造は、請求項１〜請求項３の何れか１項に記載の発明に係る換気構造において、前記第２連通手段は、前記陸屋根又は前記ベランダの床部を構成し前記立壁フレームが固定された大梁と、少なくとも一部が前記大梁の上面から突出した状態で当該大梁に固定された根太と、を含んで構成されている。
【００２０】
請求項５の発明に係る換気構造では、第２連通手段は大梁及び根太を含んで構成されている。大梁は、陸屋根又はベランダの一部を構成しており、当該大梁に立壁フレームが固定されている。一方、根太は、少なくとも一部が大梁の上面から突出した状態で当該大梁に固定されている。これにより、大梁の上面と根太の上面との間には隙間が設けられることになる。つまり、当該隙間を介して、大梁に固定された立壁フレームの第２連通部と小屋裏とを連通させることができる。
【００２１】
請求項６の発明に係る建物は、陸屋根又はベランダに請求項１〜請求項５の何れか１項に記載の換気構造が設けられている。
【００２２】
請求項６の発明に係る建物では、陸屋根又はベランダに、立壁内の空気及び小屋裏内の空気を換気する換気構造が設けられているため、建物全体の換気性能を向上させることができる。
【発明の効果】
【００２３】
以上説明したように、請求項１に記載の本発明に係る換気構造は、陸屋根又はベランダの立壁だけでなく、小屋裏の換気もできる、という優れた効果を有する。
【００２４】
請求項２に記載の本発明に係る換気構造は、防水手段と立壁フレームとの間に第１空間部を容易に形成することができる、という優れた効果を有する。
【００２５】
請求項３に記載の本発明に係る換気構造は、立壁内の空気を換気することができる、という優れた効果を有する。
【００２６】
請求項４に記載の本発明に係る換気構造は、立壁内の空気をより効果的に換気することができる、という優れた効果を有する。
【００２７】
請求項５に記載の本発明に係る換気構造は、小屋裏内の空気を換気することができる、という優れた効果を有する。
【００２８】
請求項６に記載の本発明に係る建物は、建物全体の換気性能を向上させ、長寿命化を図ることができる、という優れた効果を有する。
【図面の簡単な説明】
【００２９】
【図１】本実施の形態に係る建物の換気構造を示す縦断面図である。
【図２】本実施の形態に係る建物の換気構造の要部を示す縦断面図である。
【図３】本実施の形態に係る建物の換気構造の一部を構成する通気胴縁を示す斜視図である。
【図４】本実施の形態に係る建物の換気構造の作用を説明するための縦断面図である。
【図５】本実施の形態に係る建物の換気構造の変形例を示す図２に対応する縦断面図である。
【発明を実施するための形態】
【００３０】
以下、図面を参照して本発明の一実施形態に係る建物の換気構造について説明する。
（建物の換気構造の構成）
【００３１】
まず、本発明の一実施形態に係る建物の換気構造の構成について説明する。
図１に示されるように、本実施形態では、建物１０の上部には陸屋根１２が設けられており、当該陸屋根１２の外縁部には、立壁としてのパラペット１４が立設されている（後述する）。
【００３２】
建物１０の下部には、当該建物１０を支持する基礎部１６が設けられており、当該基礎部１６の上方側には、例えば略矩形状の床フレーム１８が、図示しないアンカボルトを介して固定されている。床フレーム１８は断面形状がコ字状を成す溝型鋼の床大梁２０を備えており、互いに対向して配置された床大梁２０間には、鉄骨製の角柱状の床小梁２２が所定の間隔で複数設けられている。
【００３３】
床大梁２０の下フランジ部２０Ａと基礎部１６の上端面１６Ａの間には、床下空間２４と外気とを連通させるための隙間２６が設けられている。また、床大梁２０の上フランジ部２０Ｂ及び床小梁２２の上には、これらに対向して床根太２８が設けられている。床根太２８の上には、パーティクルボード等によって形成された床下地材３０が設けられており、床下地材３０上には、フローリング等の床仕上げ材３２が敷設されている。
【００３４】
また、床下地材３０上には、外壁３４の一部を構成する内装材３６が建物１０の高さ方向に沿って立設している。内装材３６の下端部には巾木３８が設けられており、当該巾木３８によって床仕上げ材３２と内装材３６との間の見切りがなされている。
【００３５】
床フレーム１８の上方には、当該床フレーム１８との間に図示しない柱を介して、略矩形状の天井フレーム４０が固定されている。天井フレーム４０は断面形状がコ字状を成す第２連通手段の一部を構成する大梁としての溝型鋼の天井大梁４２を備えており、互いに対向して配置された天井大梁４２間には、鉄骨製の角柱状の天井小梁４４が所定の間隔で複数設けられている。
【００３６】
また、天井大梁４２の下フランジ部４２Ａの下面には野縁４６が固定されている。天井大梁４２の下フランジ部４２Ａの下面の一部及び天井小梁４４の下面には、石膏ボード等による天井下地材４８が固定されており、天井下地材４８の下面には、クロスなどの天井仕上げ材５０が貼着されている。また、内装材３６の上端部には廻り縁５２が設けられ、当該廻り縁５２によって天井仕上げ材５０と内装材３６との間の見切りがなされている。
【００３７】
一方、内装材３６の屋外５４側には、断面形状がコ字状を成す構造フレーム５６が建物１０の高さ方向に沿って複数立設しており、当該構造フレーム５６によって第１外装材としての外装材５８が支持されている。この外装材５８には、例えば窯業系サイディング等が用いられている。
【００３８】
なお、各部材間の組み付けにおいて、用いる部材は、確実な組み付けが可能であれば特に限定されない。すなわち、各部材の材質や、組み付け部分の形状などに応じて選択できる。具体的には、釘、ネジ、鋲、リベット、建材用ステープラー、クリップ、接着剤等を適宜用いることが可能である。以下の説明においても同じである。
【００３９】
ここで、構造フレーム５６は、建物１０の基礎部１６と当該建物１０の外壁３４の下縁部に設けられた水切り３５との間に設けられた通気口３７と連通する第１連通部としての連通部５６Ａを形成している。
【００４０】
また、図２に示されるように、天井大梁４２の上フランジ部４２Ｂには、断面形状が逆Ｌ字状を成すブラケット６２の一端部６２Ａが固定されており、当該ブラケット６２を介して、第２連通手段の一部を構成する鉄骨製の角柱状の根太６４の長手方向の一端部が天井大梁４２に固定されている。
【００４１】
根太６４は、天井フレーム４０の一部を構成し互いに対向して配置された一対の天井大梁４２間に架け渡されており、パラペット１４側に位置する根太６４の長手方向の一端部が、当該ブラケット６２の他端部６２Ｂに固定されている。この状態で、根太６４の長手方向の一端部の上面６４Ａは、ブラケット６２の一端部６２Ａの上面６２Ａ１（天井大梁４２の上フランジ部４２Ｂの上面４２Ｂ１）よりも上方へ突出した状態となっている。
【００４２】
つまり、天井大梁４２の上フランジ部４２Ｂの上方には、第２連通手段としての隙間６６が設けられることになる。なお、根太６４はパラペット１４側へ向かうにつれて下方へ向かって傾斜して配置されている。つまり、根太６４には、いわゆる水勾配が設けられている。
【００４３】
また、根太６４の上には、野地板６８が敷設されており、野地板６８の上には硬質ウレタンフォーム等の樹脂発泡成形体によって形成された断熱材７０が敷設されている。そして、断熱材２４の上面は、防水シート７２によって覆われている。
【００４４】
ところで、陸屋根１２の床部としての屋根部６０の周縁部には、立壁としてのパラペット１４が立設されている。パラペット１４の屋根部６０側には、断面形状がＬ字状を成し一端部に防水シート７２の端部が貼着された、防水手段としての防水鋼板７１が、当該パラペット１４の基部側から立設している（後述する）。
【００４５】
また、パラペット１４の内部には、立壁フレームとしてのパラペットフレーム７６が配設されている。パラペットフレーム７６は、パラペット１４の上部に配置された上部フレーム７８と、パラペット１４の下部に配置された下部フレーム８０と、当該下部フレーム８０と上部フレーム７８とを連結する連結フレーム８２と、を含んで構成されている。        
【００４６】
天井大梁４２の上フランジ部４２Ｂには、断面形状が逆Ｌ字状を成すブラケット７４の一端部７４Ａが固定されており、当該ブラケット７４の他端部７４Ｂに下部フレーム８０が固定されている。下部フレーム８０は、断面形状がコ字状を成しており、当該下部フレーム８０の下部が開口され、パラペット１４の延在方向に沿って設けられている。また、上部フレーム７８は、断面形状がコ字状を成しており、当該上部フレーム７８の下部が開口され、上部フレーム７８は下部フレーム８０と対向して配置されている。さらに、連結フレーム８２は、断面形状がコ字状を成して下部フレーム８０及び上部フレーム７８の延在方向に沿って所定の間隔で配置されている。
【００４７】
そして、上部フレーム７８、連結フレーム８２及び下部フレーム８０の間で、パラペットフレーム７６における第２連通部としての連通部７６Ａが形成されている。下部フレーム８０のウエブ部８０Ａには、当該連通部７６Ａと構造フレーム５６の連通部５６Ａとを連通させる連通穴８０Ａ１が、下部フレーム８０の延在方向に沿って複数形成されている。
【００４８】
また、パラペットフレーム７６の屋外５４側には、外壁下地材８４が固定されており、当該外壁下地材８４の屋外５４側に第２外装材としての外装材８６が固定されている。また、上部フレーム７８の上面７８Ａには、笠木ホルダ８８が固定されており、パラペット１４の上に配設される笠木９０を支持している。
【００４９】
笠木ホルダ８８は、笠木ホルダ８８における長手方向に対して直交する幅方向の中央部が上部フレーム７８に固定されており、笠木ホルダ８８における幅方向の両端側には、突出部８８Ａ、８８Ｂが上方へ向かってそれぞれ突設されている。この突出部８８Ａ、８８Ｂは、笠木ホルダ８８における幅方向の中央部よりも突出した状態となって形成されており、上部フレーム７８との間に、隙間９２及び第２空間部としての隙間９４をそれぞれ形成している。
【００５０】
また、笠木ホルダ８８における幅方向の両端部には、突出部８８Ａ、８８Ｂから笠木ホルダ８８における幅方向外側かつ下方へ向かって係止片８８Ｃ、８８Ｄがそれぞれ延出されている。当該係止片８８Ｃ、８８Ｄは、上部フレーム７８の上面７８Ａよりも下方へ延びた状態でそれぞれ形成されており、係止片８８Ｃは外装材８６の上端側を覆っている。
【００５１】
また、上部フレーム７８において屋根部６０側に位置する側壁７８Ｂには、第１連通手段としての通気胴縁９６が固定されている。通気胴縁９６は、図３に示されるように、角柱状を成しており、通気胴縁９６において屋根部６０側に位置する側壁９６Ａには、当該通気胴縁９６の上面９６Ｂから下面９６Ｃへ貫通する貫通凹部９８が通気胴縁９６の長手方向に沿って所定の間隔で形成されている。
【００５２】
図２に示されるように、この通気胴縁９６に防水鋼板７１の他端部が固定されている。そして、当該通気胴縁９６を含み上部フレーム７８の上面７８Ａ及び外装材８６の上端側には、防水手段としての防水シート７３が接着剤等により取り付けられている。
【００５３】
当該通気胴縁９６は上部フレーム７８の側壁７８Ｂの長さよりも若干長くなるように設定されている。このため、パラペットフレーム７６と防水鋼板７１との間には、通気胴縁９６の板厚分の隙間が形成され、第１空間部としての空間部１００が設けられることになる。
【００５４】
この空間部１００と通気胴縁９６の貫通凹部９８とは連通されている。ここで、防水シート７３において、貫通凹部９８に対応する領域には、第３連通手段の一部としての小孔部１０２（図３参照）が設けられており、当該小孔部１０２を介して、空間部１００及び貫通凹部９８と隙間９４とは連通されている。また、通気胴縁９６と係止片８８Ｄとの間には第２空間部としての隙間１０４が設けられ、当該隙間１０４は外気と連通している。なお、外装材８６と係止片８８Ｃとの間には、隙間１０６が設けられており、当該隙間１０６は外気と連通している。
【００５５】
笠木ホルダ８８には、上方側から笠木９０が嵌め込まれるようになっており、笠木９０には、上面を構成し笠木ホルダ８８の突出部８８Ａ、８８Ｂに当接する当接面９０Ａが設けられると共に、笠木ホルダ８８の係止片８８Ｃ、８８Ｄに係止される係止部９０Ｂ、９０Ｃがそれぞれ設けられている。
【００５６】
なお、ここでは、図示はしないが、笠木９０における係止部９０Ｂの内面側からは、外装材５８側へ向かって水返し片が延出され、係止部９０Ｃの内面側からは、防水シート７３側へ向かって水返し片が延出されている。これらの水返し片によって、笠木９０内への水の浸入が抑制又は防止されるようになっており、当該水返し片は、外装材５８、防水シート７３との間にそれぞれ隙間を設けて形成され、隙間１０４、１０６と外気との連通状態は維持されるようになっている。
【００５７】
（建物の換気構造の作用・効果）
次に、本発明の一実施形態に係る建物の換気構造の作用・効果について説明する。
【００５８】
図１に示されるように、建物１０の外壁３４の一部を構成する外装材５８は、建物１０の高さ方向に沿って延在された構造フレーム５６によって支持されている。この構造フレーム５６は、建物１０の基礎部１６と当該建物１０の外壁３４の下縁部に設けられた水切り３５との間に設けられた通気口３７と連通する連通部５６Ａを構成している。このため、当該構造フレーム５６の連通部５６Ａを介して、外壁３４内には外気が流動可能とされている。
【００５９】
また、図２に示されるように、建物１０における陸屋根１２に立設されたパラペット１４内のパラペットフレーム７６の下部を構成する下部フレーム８０には連通穴８０Ａ１が形成され、パラペットフレーム７６の連通部７６Ａと構造フレーム５６の連通部５６Ａとを連通させている。これにより、パラペット１４内へ外気を案内させることができる。
【００６０】
さらに、本実施形態では、当該パラペット１４の一部を構成する外装材８６及び当該外装材８６を支持するパラペットフレーム７６の上には、笠木ホルダ８８を介して笠木９０が設けられている。陸屋根１２上においてパラペット１４側には防水鋼板７１が設けられ、当該防水鋼板７１の少なくとも一部が笠木９０内に収容され、パラペットフレーム７６の上端部に配置された上部フレーム７８の上面７８Ａ及び外装材８６の上端部は、防水シート７３で覆われた状態となっている。これにより、雨水のパラペット１４の内部への浸入が抑制又は防止されている。
【００６１】
また、パラペットフレーム７６には、通気胴縁９６が設けられており、当該通気胴縁９６に防水鋼板７１を取り付けることによって、当該防水鋼板７１とパラペットフレーム７６との間に、パラペットフレーム７６の連通部７６Ａと連通する空間部１００が設けられる。この空間部１００と外気とは、防水シート７３に設けられた小孔部１０２によって連通されている。
【００６２】
これにより、図４に示されるように、構造フレーム５６の連通部５６Ａ内を流れる空気は、パラペットフレーム７６の連通部７６Ａへ案内された後、空間部１００へ移動し、通気胴縁９６の貫通凹部９８、防水シート７３の小孔部１０２、笠木ホルダ８８内の隙間９４、１０４を経て外気へ案内される。つまり、パラペット１４内の空気を換気することができる。
【００６３】
一方、根太６４は、当該根太６４の長手方向の一端部の上面６４Ａが、ブラケット６２の他端部６２Ｂ（天井大梁４２の上フランジ部４２Ｂの上面４２Ｂ１）よりも上方へ突出した状態で固定されており、天井大梁４２の上フランジ部４２Ｂの上方には、隙間６６が設けられている。
【００６４】
この隙間６６により、パラペットフレーム７６と防水鋼板７１との間に設けられた空間部１００と小屋裏６７とが連通されることになる。これにより、小屋裏６７内の空気を隙間６６を介して空間部１００へ案内し、通気胴縁９６の貫通凹部９８、防水シート７３の小孔部１０２、笠木ホルダ８８内の隙間９４、１０４を経て、外気へ排気させることができる。つまり、小屋裏６７内の空気を換気することができる。
【００６５】
つまり、本実施形態では、陸屋根１２のパラペット１４だけでなく、小屋裏６７の換気もできる。このような構成により、建物１０全体の換気性能を向上させることができる。
【００６６】
（その他の実施形態）
図４に示されるように、本実施形態では、第３連通手段として、防水シート７３に小孔部１０２を設けることによって、空間部１００と隙間９４とを連通させ、空間部１００内の空気を屋外５４側へ排気させるようにしたが、当該空間部１００内の空気を屋外５４側へ排気させることができれば良いためこれに限るものではない。
【００６７】
例えば、図５に示されるように、防水鋼板７１にベントキャップ１０８を設けても良い。この場合、小孔部１０２よりも穴を大きくすることができるため、空間部１００内の空気をより効果的に屋外５４側へ排気させることができる。なお、この場合、通気胴縁９６（図２参照）に変えて単なるスペーサ９７を配設しても良い。
【００６８】
また、本実施形態では、図１に示されるように、当該天井フレーム４０によって陸屋根１２の床部としての屋根部６０の一部が構成されているが、天井フレーム４０とは別に陸屋根１２専用の床フレームによって陸屋根１２の床部としての屋根部６０の一部が構成されても良い。
【００６９】
さらに、本実施形態では、図２に示されるように、パラペットフレーム７６の下部フレーム８０に連通穴８０Ａ１を形成して、パラペットフレーム７６の連通部７６Ａと構造フレーム５６の連通部５６Ａとを連通させている。しかし、パラペットフレーム７６の形状等によって、初めからパラペットフレーム７６の連通部７６Ａと構造フレーム５６の連通部５６Ａとが連通している場合は、当該下部フレーム８０において連通穴８０Ａ１を形成する必要はない。
【００７０】
また、本実施形態では、本発明における換気構造が陸屋根１２に適用された例について説明したが、陸屋根に限らずベランダに適用されても良い。
【００７１】
以上、本発明の一実施形態について説明したが、本発明は、上記に限定されるものでなく、上記以外にも、その主旨を逸脱しない範囲内において種々変形して実施可能であることは勿論である。
【符号の説明】
【００７２】
１０    建物
１２    陸屋根
１４    パラペット（立壁）
１６    基礎部
３４    外壁
３７    通気口
４２    天井大梁（大梁、第２連通手段の一部）
５４    屋外（外気）
５６    構造フレーム
５６Ａ  連通部（第１連通部）
５８    外装材（第１外装材）
６０    屋根部（床部）
６４    根太（第２連通手段の一部）
６７    小屋裏
７１    防水鋼板（防水手段）
７３    防水シート（防水手段）
７６    パラペットフレーム（立壁フレーム）
７６Ａ  連通部（第２連通部）
８６    外装材（第２外装材）
９０    笠木
９４    隙間（第２空間部）
９６    通気胴縁（第１連通手段）
１００  空間部（第１空間部）
１０２  小孔部（第３連通手段の一部）
１０４  隙間（第２空間部、第３連通手段の一部）
１０８  ベントキャップ（第３連通手段）
【図１】
2014227774.tif 000003
【図２】
2014227774.tif 000004
【図３】
2014227774.tif 000005
【図４】
2014227774.tif 000006
【図５】
2014227774.tif 000007